(57)【要約】【課題】誰にでも容易に刃物を研ぐことができる刃物研磨装置を提供する。及び、刀身全体を容易に磨き上げることができる刃物研磨装置を提供する。【解決手段】回転中心軸位置を頂点として円錐形或いは円錐台形をなした研磨面を有する回転板２０と、回転板２０の裏面側の回転中心に対して表面の中心に直行するように回転軸３１が連結された電動モータ３０とを備えた刃物研磨装置１を構成する。これにより、回転板２０の研磨面に刃物５を押し当てた際に研磨面と刃物５との当接面の全体が同じ方向の力を受けるので、刃物５を所定位置に安定して維持しながら研磨を行うことができる。【選択図】図３
2014034104.tif 000002
【特許請求の範囲】
【請求項１】
回転中心軸位置を頂点として円錐形或いは円錐台形をなした研磨面を有する回転板と、
前記回転板の裏面側の回転中心に対して前記表面の中心に直行するように回転軸が連結された電動モータとを備えた
ことを特徴とする刃物研磨装置。
【請求項２】
前記研磨面に貼り付けられたシート状のヤスリを備えている
ことを特徴とする請求項１に記載の刃物研磨装置。
【請求項３】
前記研磨面と前記シート状のヤスリとの間に均一な厚さを有する弾性部材を設けた
ことを特徴とする請求項２に記載の刃物研磨装置。
【請求項４】
前記研磨面に塗布された研磨剤を有する
ことを特徴とする請求項１に記載の刃物研磨装置。
【請求項５】
前記回転板は、木材及び樹脂部材の何れかからなる回転板本体と、該回転板本体の前記表面に装着された金属板とからなる
ことを特徴とする請求項１乃至４の何れかに記載の刃物研磨装置。
【請求項６】
前記研磨面を上面とし且つ前記回転軸が垂直になるように前記電動モータが配置されている
ことを特徴とする請求項１乃至５の何れかに記載の刃物研磨装置。
【請求項７】
前記電動モータを時計回転方向及び反時計回転方向の何れにも回転方向を切り替えられる駆動手段を備えている
ことを特徴とする請求項１乃至６の何れかに記載の刃物研磨装置。
【発明の詳細な説明】
【技術分野】  本発明は、包丁やはさみ等の刃物を研ぐ刃物研磨装置に関する。
【背景技術】  従来、包丁やはさみなどの刃物を研ぐ際には砥石を使用するのが一般的であった。しかし、砥石を使って刃物を研ぐには研ぎに関するある程度の技術が必要である。このため、誰でも容易に刃物を研げるようにした特許文献１に開示されるような研磨機が知られている。
特許文献１に開示される研磨機は、包丁の回転可能な切頭円錐等の形状をした砥石を備え、砥石の回転を電動駆動とし、電動駆動回転の回転速度を切り替可能としたものである。これにより、簡単に切れ味が良く且つ刃先を傷めにくい研磨機を一般家庭等で容易に使用することができるようにしている。
また、刃物研ぎの専門家が使用する研磨機としては特許文献２或いは非特許文献１に開示されるような研磨機が知られている。
特許文献２に開示される研磨機は、電動モータによって移動する研磨材が左右の傾斜板の間の離間部に露呈することによって、何れかの傾斜板の上面に刃面を当てた刃物の刃先を一対のガイドローラに摺動自在に当てた状態で、該刃物の刃先を傾斜板の角度調整による所定角度で研磨材に接触させ、左右の傾斜板の何れに刃物を載置したかによって、電動モータに接続された操作スイッチを正転又は逆転の状態に切り替えることにより、刃物の刃先を接触させた研磨材を刃先から遠ざかる方向へ垂直方向に回転するようにしたものである。この構成により、包丁等の刃物の刃先を容易に研磨することができ、刃物の研磨痕を刃先の辺に対して垂直方向に形成することによって切れ味の鋭い研磨痕を形成するようにしている。
非特許文献１に開示される研磨機は、円盤状の砥石をモータによって回転させ、回転する円盤の上面に刃を当てることにより、刃を研磨するものである。
【先行技術文献】
【特許文献】
【特許文献１】特開２００５−２７９８６９号公報
【特許文献２】特開２０１２−８１５５５号公報
【非特許文献】
【非特許文献１】ｈｔｔｐ：／／ｗｗｗ．ｒｙｏｂｉ−ｇｒｏｕｐ．ｃｏ．ｊｐ／ｐｒｏｊｅｃｔｓ／ｐｏｗｅｒｔｏｏｌｓ／ｐｒｏｄｕｃｔｓ／ｉｔｅｍ＿ｄｅｔａｉｌ．ｐｈｐ？ｉｔｉｄ＝８１＆ｃｉｄ＝２＆ｃｓｉｄ＝１２８＆ｃｋｂｎｉｄ＝１＆ｐｆ＝２
【発明の概要】
【発明が解決しようとする課題】  しかしながら、特許文献１に開示される研磨機は、周知の砥石を使用して刃物を刃を研磨することに比べて容易に刃先を研磨することができるが、平面をなす砥石の表面に刃を当てたときに刃に多方向の力が加わることがあるので、研磨作業にコツが必要であった。例えば、円盤状の砥石の中心が回転軸となるため、図６に示すように回転軸を跨いで刃物１０１を砥石１０２の表面に押しつけると、刃物１０１の先端部１０１ａと刃元部分１０１ｂとでは反対方向の力がかかってしまい、刃物１０１を所定位置に安定して維持することが困難になる。
また、刃物の腹の部分に発生した錆を落としたいときに、刃物の腹を砥石表面に押し当てて研磨しても刃物の腹に凹凸がある刃物の場合は腹の錆を綺麗に落とすことができなかった。このため研磨機のみによって刀身全体を磨き上げることが困難な場合があった。
本発明は上記の問題点に鑑みてなされたものであり、その目的とするところは、誰にでも容易に刃物を研ぐことができる刃物研磨装置を提供することである。
本発明のさらなる目的は、刀身全体を容易に磨き上げることができる刃物研磨装置を提供することである。
【課題を解決するための手段】  本発明は上記の目的を達成するために、回転中心軸位置を頂点として円錐形或いは円錐台形をなした研磨面を有する回転板と、前記回転板の裏面側の回転中心に対して前記表面の中心に直行するように回転軸が連結された電動モータとを備えた刃物研磨装置を提案する。
本発明の刃物研磨装置によれば、回転板の研磨面に刃物を押し当てた際に研磨面と刃物との当接面の全体が同じ方向の力を受けるので、刃物を所定位置に安定して維持しながら研磨を行うことができる。
また、本発明は上記の目的を達成するために、上記の構成に加えて、前記研磨面に貼り付けられたシート状のヤスリを備えている刃物研磨装置を提案する。
本発明の刃物研磨装置によれば、シート状のヤスリを自由に交換することにより、研磨の度合いを容易に変えることができる。
また、本発明は上記の目的を達成するために、上記の構成に加えて、前記研磨面と前記シート状のヤスリとの間に均一な厚さを有する弾性部材を設けた刃物研磨装置を提案する。
本発明の刃物研磨装置によれば、研磨面とシート状のヤスリとの間に弾性部材が設けられているので、刃物の研磨対象面に凹凸があっても該凹凸に沿ってヤスリの表面が変動するため、刃物の研磨対象面全体を研磨することができる。
また、本発明は上記の目的を達成するために、上記の構成に加えて、前記研磨面に塗布された研磨剤を有する刃物研磨装置を提案する。
本発明の刃物研磨装置によれば、回転する回転板の研磨面に塗布された研磨剤によって刃物が研磨される。
また、本発明は上記の目的を達成するために、上記の構成に加えて、前記回転板は、木材及び樹脂部材の何れかからなる回転板本体と、該回転板本体の前記表面に装着された金属板とからなる刃物研磨装置を提案する。
本発明の刃物研磨装置によれば、回転板本体が金属に比べて軽量な部材からなるので回転時における慣性力を低減することができるため、研磨面への刃物の押し当て力が必要以上なものとなることを低減することができると共に、刃物との当接面は金属によって構成されているので研磨による研磨面の摩耗を低減することができる。
また、本発明は上記の目的を達成するために、上記の構成に加えて、前記研磨面を上面とし且つ前記回転軸が垂直になるように前記電動モータが配置されている刃物研磨装置を提案する。
本発明の刃物研磨装置によれば、研磨面が上面となるため、研磨面に対して刃物を容易に当接させることができる。
また、本発明は上記の目的を達成するために、上記の構成に加えて、前記電動モータを時計回転方向及び反時計回転方向の何れにも回転方向を切り替えられる駆動手段を備えている刃物研磨装置を提案する。
本発明の刃物研磨装置によれば、回転板の回転方向を反転させることができるため、刃物の刃先の向きを変えた際にも研ぎやすい方向に回転板を回転させることができる。
【発明の効果】  本発明によれば、回転板の研磨面に刃物を押し当てた際に研磨面と刃物との当接面の全体が同じ方向の力を受けるので、刃物を所定位置に安定して維持しながら研磨を行うことができるため、研ぎに関する専門の知識が無い者であっても容易に刃物を研ぐことができる。
さらに、本発明によれば、研磨面とシート状のヤスリとの間に弾性部材が設けられているので、刃物の研磨対象面に凹凸があっても該凹凸に沿ってヤスリの表面が変動するため、刃物の研磨対象面全体を研磨することができる。
【図面の簡単な説明】
【図１】本発明の第１実施形態における刃物研磨装置を示す外観斜視図
【図２】図１のＡ−Ａ線矢視方向の一部断面図
【図３】本発明の第１実施形態における刃物研磨装置の研磨面に対する刃物の当接状態を説明する図
【図４】本発明の第２実施形態における刃物研磨装置を示す一部側面断面図
【図５】本発明の第３実施形態における刃物研磨装置を示す一部側面断面図
【図６】従来例における研磨時の刃物にかかる力の方向を説明する図
【発明を実施するための形態】
以下、図面を参照して本発明の一実施形態を説明する。
図１乃至図３は本発明の第１実施形態における刃物研磨装置を示す図である。図において、１は刃物研磨装置で、装置本体１０と回転板２０とから構成されている。装置本体１０は直方体形状のケース１１を備え、ケース１１の内部には電動モータ３０が設けられている。また、ケース１１の側面には電動モータ３０への通電をオン・オフするための電源スイッチ１２と、電動モータ３０の回転方向を時計回転方向或いは反時計回転方向の何れかに切り替えるための回転方向切り替えスイッチ１３が設けられている。
電動モータ３０は、例えば単相モータからなり、回転軸３１が垂直になるようにケースから突出した状態でケース１１に固定されている。また電動モータ３０としては、５０〜１０００回転／分のものを用いており、好ましくは３００〜７００回転／分で使用する方が刃物にかかる力が適度な状態になるので研磨に適している。
回転板２０は、上面を研磨面２１とする略円盤状をなし、木材及び樹脂部材等の金属よりも比重が軽い部材からなる回転板本体２２と、回転板２２の側面及び上面を覆う厚さが均一な金属板２３、及び金属板２３の上面に両面テープ（図示せず）によって貼り付けられた厚さが均一なシート状のヤスリ２４から構成されてる。回転板本体２２及び金属板２３の上面は回転軸を頂点とする円錐形状をなし、その傾斜面と水平面とは角度θをなしている。傾斜面の傾斜角度は、回転板２０の回転中心を跨いで研磨面に刃物が当接しないように且つ研ぎやすさを考慮して適宜設定することが好ましい。なお、シート状ヤスリ２４としては、柔軟性や可撓性を有する紙ヤスリ或いは布ヤスリなどが用いられる。
回転板２０の底面には連結部材４０が固定されており、回転板２０の回転中心が電動モータ３０の回転軸の中心に一致するように連結部材４０によって電動モータ３０の回転軸３１に回転板２０が連結されている。
上記構成よりなる本実施形態の刃物研磨装置１によって刃物を研磨する際、図３に示すように、刃物５を回転板２０のシート状ヤスリ２４の表面に押し当てると、回転板２０の回転中心を跨いでシート状ヤスリ２４の表面に刃物が当接しないため、刃物５の当接面全体には１つの方向の力しか加わらないので、刃物５を安定して所定位置に維持することができる。これにより、研ぎに関する専門の知識が無い者であっても容易に刃物を研ぐことができる。
また、本実施形態の刃物研磨装置１によれば、回転板本体２２が金属に比べて軽量な部材からなるので回転時における慣性力を低減することができるため、研磨面への刃物の押し当て力が必要以上なものとなることを低減することができると共に、刃物との当接面は金属によって構成されているので研磨による研磨面の摩耗を低減することができる。
また、回転板２０の研磨面にシート状ヤスリ２４を両面テープによって貼り付けているので、ヤスリ２４の表面がすり減ったときには容易にシート状ヤスリ２４を交換することができる。さらに、刃物５の研ぎ加減を調整するためにシート状ヤスリ２４の番数も容易に変更することができる。
さらに、本実施形態の刃物研磨装置１によれば、研磨面が上面となるように構成されているため、研磨面に対して刃物を容易に当接させることができる。
また、実施形態の刃物研磨装置１によれば、回転板２０の回転方向を反転させることができるため、刃物の刃先の向きを変えた際にも研ぎやすい方向に回転板を回転させることができる。
さらにまた、本実施形態の刃物研磨装置１を用いることによって鎌のように刃先が湾曲した刃物であっても容易に研磨することができる。
次に、本発明の第２実施形態を説明する。
図４は本発明の第２実施形態における刃物研磨装置を示す図であり、図において、上記第１実施形態と同一構成部分は同一符号をもって表しその説明を省略する。また、第２実施形態と上記第１実施形態との相違点は、第２実施形態においては、金属板２３の表面とシート状ヤスリ２４との間に均一な厚さを有する弾性部材２５を設けたことである。
弾性部材２５は金属板２３の上面に接着されており、弾性部材２５の上面には両面テープ（図示せず）によってシート状ヤスリ２４が貼り付けられている。
本実施形態においても、回転板本体２２及び金属板２３並びにシート状ヤスリ２４の上面は回転軸を頂点とする円錐形状をなし、その傾斜面と水平面とは角度θをなしている。傾斜面の傾斜角度は、回転板２０の回転中心を跨いで研磨面に刃物が当接しないように且つ研ぎやすさを考慮して適宜設定することが好ましい。
このように弾性部材２５を設けることにより、シート状ヤスリ２４の表面に刃物を押し当てたときに刃物の表面の凹凸に沿ってシート状ヤスリ２４の表面が変動するので、刃物の表面に凹凸があるときでも刃物の表面全体を研磨することができる。例えば、刃物の腹に凹凸がある刃物の腹の部分に発生した錆を落としたいときに、刃物の腹をシート状ヤスリ２４に押し当てて研磨すれば、腹の錆を綺麗に落とすことができる。このため刃物研磨装置１のみによって刀身全体を磨き上げることができる。
なお、弾性部材２５としてはスポンジやゴムなどを用いることができ、刃物表面の凹凸の状態に応じて、凹凸状態に適した弾力を有する弾性部材２５を適宜用いることが好ましい。
次に、本発明の第３実施形態を説明する。
図５は本発明の第３実施形態における刃物研磨装置を示す図であり、図において、上記第１実施形態と同一構成部分は同一符号をもって表しその説明を省略する。また、第３実施形態と上記第１実施形態との相違点は、第３実施形態においては、金属板２３の上面にシート状ヤスリ２４を貼り付けずに、金属板２３の上面に研磨剤２６を塗布した。
このように金属板２３の上面に研磨剤２６を塗布した状態で金属板２３の上面に刃物を押し当てても第１実施形態と同様に刃物を容易に研磨することができる。
なお、上記実施形態では回転板２０の上面を円錐形状としたが、これに代えて円錐台形状とし、円錐台の傾斜面に刃物を押し当てて刃物を研磨しても上記実施形態と同様の効果を得ることができる。
【産業上の利用可能性】  本発明の刃物研磨装置を用いることにより、刃物研ぎに関する専門の知識が無い者であっても容易に刃物を研ぐことができ、さらに、刃物の研磨対象面に凹凸があっても刃物の研磨対象面全体を研磨することができる。
【符号の説明】  １…刃物研磨装置、５…刃物、１０…装置本体、１１…ケース、１２…電源スイッチ、１３…回転方向切り替えスイッチ、２０…回転板、２１…研磨面、２２…回転板本体、２３…金属板、２４…シート状ヤスリ、２５…弾性部材、２６…研磨剤、３０…電動モータ、３１…回転軸。
【図１】
2014034104.tif 000003
【図２】
2014034104.tif 000004
【図３】
2014034104.tif 000005
【図４】
2014034104.tif 000006
【図５】
2014034104.tif 000007
【図６】
2014034104.tif 000008